(57)【要約】【課題】資源の浪費を抑制しつつ作業効率化を図ることが可能なラベル印字装置、ラベルの使用方法およびラベルを提供する。【解決手段】ラベル１００は、一方の面に商品情報としての商品名称１１および通常価格情報１５等を有し、他方の面に第１接着層４０が配された第１領域部１０と、一方の面に商品情報としての販売促進メッセージ２１を有し、他方の面に第１接着層４０より接着力が弱い第２接着層５０が配された第２領域部２０と、第１領域部１０と第２領域部２０とを分割するための切り取り部３０と、を含む。この切り取り部３０により第１領域部１０と第２領域部２０とが分割された後、当該第１領域部１０が商品情報として用いられる。【選択図】図１
2011056715.tif 000002
【特許請求の範囲】
【請求項１】
少なくとも一方の面に商品情報としての第１情報を有し、他方の面に第１接着層が配された第１領域部と、
少なくとも前記一方の面に前記商品情報としての第２情報を有し、前記他方の面に前記第１接着層より接着力が弱い第２接着層が配された第２領域部と、
前記第１領域部と前記第２領域部とを分割するための切り取り部と、を含み、
前記切り取り部により前記第１領域部と前記第２領域部とが分割された後、当該第１領域部が前記商品情報として用いられるラベルに対して前記商品情報を印字する印字部と、
前記ラベルを搬送する搬送部と、を含むことを特徴とするラベル印字装置。
【請求項２】
前記搬送部は、前記ラベルの前記第１領域部を搬送方向の下流側にし、前記第２領域部を搬送方向の上流側にして当該ラベルを搬送することを特徴とする請求項１記載のラベル印字装置。
【請求項３】
前記印字部の上流側の前記搬送部の途中に設けられ、前記ラベルの前記第２領域部に搬送方向と平行な方向に上方凸状の癖付けを行う癖付け部をさらに備えたことを特徴とする請求項１または請求項２に記載のラベル印字装置。
【請求項４】
商品に関する情報である商品情報を備えたラベルの使用方法であって、
前記ラベルは、少なくとも一方の面に前記商品情報としての第１情報を有し、他方の面に第１接着層が配された第１領域部と、
前記少なくとも一方の面に商品情報としての第２情報を有する第２領域部と、
前記第１領域部と前記第２領域部とを分割するための切り取り部と、を含み、
前記第１領域部と前記第２領域部とを切り取り部によって分割することなく用いる非分割ステップと、
前記第１領域部と前記第２領域部とを切り取り部によって分割し、前記第２領域部を用いずに前記第１領域部を用いる分割ステップと、を含むことを特徴とするラベルの使用方法。
【請求項５】
前記第２領域部は、他方の面に前記第１接着層よりも接着力が弱い第２接着層が配されたことを特徴とする請求項４記載のラベルの使用方法。
【請求項６】
少なくとも一方の面に商品に関する情報である商品情報を備え、他方の面に接着層を有するラベルであって、
少なくとも前記一方の面に前記商品情報としての第１情報を有し、前記他方の面に第１接着層が配された第１領域部と、
少なくとも前記一方の面に前記商品情報としての第２情報を有する第２領域部と、
前記第１領域部と前記第２領域部とを分割するための切り取り部と、を含み、
前記切り取り部により前記第１領域部と前記第２領域部とが分割された後、当該第１領域部が前記商品情報として用いられることを特徴とするラベル。
【請求項７】
前記第２領域部は、少なくとも前記一方の面に前記商品情報としての第２情報を有し、前記他方の面に前記第１接着層より接着力が弱い第２接着層が配されたことを特徴とする請求項６記載のラベル。
【請求項８】
前記第２情報は、前記商品の値引き後の価格情報を含むことを特徴とする請求項６または請求項７に記載のラベル。
【請求項９】
前記第２領域部における前記一方の面上に、前記商品情報としての第３情報を有する第３領域部を剥離可能に備え、
前記第３情報は、販売促進メッセージ、前記商品の値引き後の価格情報、前記商品の値引き率を示す値引き率情報、および前記商品の値引き期間を示す値引き期間情報からなる群より選択される１または複数を含むことを特徴とする請求項６から請求項８のいずれか１項に記載のラベル。
【発明の詳細な説明】
【技術分野】
【０００１】
本発明は、顧客に商品を提供する商品販売店舗において、使用するラベル印字装置、当該ラベルを印字するラベル印字装置および商品に貼り付けるラベルに関する。
【背景技術】
【０００２】
従来、一般に店頭で販売される食品等は、樹脂製のトレイ上に載せられ包装フィルム等で包まれた状態で置かれている。通常、包装フィルムには、食品名や売価、包装フィルムの材質等が印字されたラベルが接着層を介して貼り付けられている。
【０００３】
例えば、特許文献１に記載のラベルには、当該ラベルの品名欄またはデータ欄の空白部に値引き情報が印字される。このように、通常用いられるラベルに値引情報を印字することによって、通常価格が印字されたラベルと値引情報が印字されたラベルとの２枚のラベルを貼り付けることや、通常価格と値引情報との両方を印字するための大きなラベルを用意する必要がない。
【先行技術文献】
【特許文献】
【０００４】
【特許文献１】特開昭６２−１１９５７３号公報
【発明の開示】
【発明が解決しようとする課題】
【０００５】
しかしながら、上記のように、従来においては、値引情報が印字されたラベルを貼り付ける前に、通常価格が印字されたラベルを貼り付ける必要がある。そのため、通常価格が印字されたラベルと値引情報が印字されたラベルとの２枚のラベルが必要となり、資源の浪費を抑制することが困難となる。
また、通常価格が印字されたラベルから値引情報が印字されたラベルに貼り替える手間がかかってしまい、店舗従業員の作業効率化を図ることが困難である。
【０００６】
本発明は、このような問題点に鑑み、資源の浪費を抑制しつつ作業効率化を図ることを目的とする。
【課題を解決するための手段】
【０００７】
（１）
第１の発明に係るラベル印字装置は、少なくとも一方の面に商品情報としての第１情報を有し、他方の面に第１接着層が配された第１領域部と、少なくとも一方の面に商品情報としての第２情報を有し、他方の面に第１接着層より接着力が弱い第２接着層が配された第２領域部と、第１領域部と第２領域部とを分割するための切り取り部と、を含み、切り取り部により第１領域部と第２領域部とが分割された後、当該第１領域部が商品情報として用いられるラベルに対して商品情報を印字する印字部と、ラベルを搬送する搬送部と、を含むものである。
【０００８】
第１の発明に係るラベル印字装置により印字されるラベルは、第１情報および第１接着層を有する第１領域部と、第１接着層より接着力が弱い第２接着層および第２情報を有する第２領域部と、第１領域部と第２領域部とを分割するための切り取り部とを含む。このようなラベルは切り取り部により第１領域部と第２領域部とが分割された後、当該第１領域部が商品情報として用いられる。すなわち、容易に商品情報を、第２領域部から第１領域部に移すことができる。
【０００９】
この場合、１枚のラベルにおいて第１情報および第２情報を商品情報として設けることによって、これらの商品情報を複数のラベルに分けて設ける必要がない。それにより、地球環境にやさしく、資源の浪費を抑制することが可能となる。また、消費者は第１情報および第２情報を比較することにより購買意欲を掻き立てられる。
【００１０】
また、第１情報および第２情報を別個独立のラベルに設ける場合には、作業員はラベルを貼り付けたり剥がしたりする必要があったが、第２領域部が不要になった際には切り取り部によって当該第２領域部を切り取るのみで済むので、作業効率化を図ることが可能となる。さらに、第２領域部の第２接着層の接着力は第１接着層よりも弱いので、作業員は第２領域部を分割する際に当該第２領域部を剥がし易くなる。
【００１１】
（２）
搬送部は、ラベルの第１領域部を搬送方向の下流側にし、第２領域部を搬送方向の上流側にして当該ラベルを搬送することが好ましい。
【００１２】
このような効果を奏するラベルを得るために、本発明に係るラベル印字装置においては、搬送部によってラベルの第１領域を搬送方向の下流側にし、第２領域を搬送方向の上流側にして当該ラベルが搬送される。すなわち、接着力の強い方の第１領域部から印字部に向けて搬送されるので、接着力が比較的弱く第２領域部が下地から剥がれそうになっている場合でも、当該第２領域部をスムーズに搬送することが可能となる。
【００１３】
（３）
ラベル印字装置は、印字部の上流側の搬送部の途中に設けられ、ラベルの第２領域部に搬送方向と平行な方向に上方凸状の癖付けを行う癖付け部をさらに備えてもよい。
【００１４】
このような効果を奏するラベルを得るために、本発明に係るラベル印字装置においては、印字部に搬送される前に、ラベルの第２領域部に搬送方向と平行な方向に上方凸状の癖付けが癖付け部によって行われる。それにより、接着力が比較的弱い第２領域部が下地から剥がれそうになっている場合でも、癖付けによって剥がれを抑制でき、当該第２領域部をスムーズに搬送することが可能となる。
【００１５】
（４）
第２の発明に係るラベルの使用方法は、商品に関する情報である商品情報を備えたラベルの使用方法であって、ラベルは、少なくとも一方の面に商品情報としての第１情報を有し、他方の面に第１接着層が配された第１領域部と、少なくとも一方の面に商品情報としての第２情報を有する第２領域部と、第１領域部と第２領域部とを分割するための切り取り部と、を含み、第１領域部と第２領域部とを切り取り部によって分割することなく用いる非分割ステップと、第１領域部と第２領域部とを切り取り部によって分割し、第２領域部を用いずに第１領域部を用いる分割ステップと、を含むものである。
【００１６】
第２の発明に係るラベルの使用方法においては、第１情報および第１接着層を有する第１領域部と第２情報を有する第２領域部とを含むラベルが、非分割ステップで第１領域部と第２領域部とが切り取り部によって分割されることなく用いられ、分割ステップで第１領域部と第２領域部とが切り取り部によって分割された後、第２領域部が用いられずに第１領域部が用いられる。すなわち、容易に商品情報を、第２領域部から第１領域部に移すことができる。
【００１７】
この場合、１枚のラベルにおいて第１情報および第２情報を商品情報として設けることによって、これらの商品情報を複数のラベルに分けて設ける必要がない。それにより、地球環境にやさしく、資源の浪費を抑制することが可能となる。また、消費者は第１情報および第２情報を比較することにより購買意欲を掻き立てられる。
【００１８】
また、第１情報および第２情報を別個独立のラベルに設ける場合には、作業員はラベルを貼り付けたり剥がしたりする必要があったが、本発明に係るラベルの使用方法によれば、第２領域部が不要になった際には切り取り部によって当該第２領域部を切り取るのみで済むので、作業効率化を図ることが可能となる。
【００１９】
さらに、第２領域部の他方の面には接着層は配されていなくてもよく、配されていない場合、作業員は当該第２領域部を切り取り部によって容易に分割することができる。それにより、第２領域部を分割する際において包装フィルムを破る危険性を抑制することができる。
【００２０】
例えば、第１情報は、商品の名称および当該商品の価格である価格情報を含み、第２情報は、商品の値引き後の価格情報を含んでもよい。この場合、第１情報としての価格情報と第２情報としての値引き後の価格情報とをそれぞれ第１領域部と第２領域部とに分けて設けることによって、値引き後の価格で商品を販売する所定期間が終了すれば、作業員は第２領域部を分割するだけで包装フィルムに商品の通常価格情報を残すことが可能となる。
【００２１】
分割ステップは、第１情報および第２情報の印字を変更せずに、第２領域部を切り取り部によって切り取ることにより第１情報および第２情報による商品情報を、第１情報のみによる商品情報へと変更してもよい。この場合、第１情報のみによる商品情報による販売期間に移行する際における作業効率化が図られるとともに、消費者は第１情報および第２情報を比較することによって購買意欲を掻き立てられる。
【００２２】
（５）
第２領域部は、他方の面に第１接着層よりも接着力が弱い第２接着層が配されてもよい。
【００２３】
この場合、第２領域部の第２接着層の接着力は第１接着層よりも弱いので、作業員は第１領域部および第２領域部を分割する際に当該第２領域部を剥がし易くなる。したがって、第２領域部が不要になった際には切り取り部によって当該第２領域部をさらに容易に切り取るのみで済むので、作業効率化を図ることが可能となる。
【００２４】
（６）
第３の発明に係るラベルは、少なくとも一方の面に商品に関する情報である商品情報を備え、他方の面に接着層を有するラベルであって、少なくとも一方の面に商品情報としての第１情報を有し、他方の面に第１接着層が配された第１領域部と、少なくとも一方の面に商品情報としての第２情報を有する第２領域部と、第１領域部と第２領域部とを分割するための切り取り部と、を含み、切り取り部により第１領域部と第２領域部とが分割された後、当該第１領域部が商品情報として用いられるものである。
【００２５】
第３の発明に係るラベルにおいては、第１情報および第１接着層を有する第１領域部と、第２情報を有する第２領域部と、第１領域部と第２領域部とを分割するための切り取り部とが設けられる。このようなラベルは、切り取り部により第１領域部と第２領域部とが分割された後、当該第１領域部が商品情報として用いられる。すなわち、容易に商品情報を、第２領域部から第１領域部に移すことができる。
【００２６】
この場合、１枚のラベルにおいて第１情報および第２情報を商品情報として設けることによって、これらの商品情報を複数のラベルに分けて設ける必要がない。それにより、地球環境にやさしく、資源の浪費を抑制することが可能となる。また、消費者は第１情報および第２情報を比較することにより購買意欲を掻き立てられる。
【００２７】
また、第１情報および第２情報を別個独立のラベルに設ける場合には、作業員はラベルを貼り付けたり剥がしたりする必要があったが、本発明に係るラベルによれば、第２領域部が不要になった際には切り取り部によって当該第２領域部を切り取るのみで済むので、作業効率化を図ることが可能となる。
【００２８】
さらに、第２領域部の他方の面には接着層は配されなくてもよく、配されない場合、作業員は当該第２領域部を切り取り部によって容易に分割することができる。それにより、第２領域部を分割する際に包装フィルムを破る危険性を抑制することができる。
【００２９】
また、商品のリパックを行ってラベルを交換する場合もあり、この場合、多種多様の商品が存在するため、作業者のラベル張り間違いのおそれがあった。しかしながら、本発明を用いた場合、ラベルの第２領域部を分割するのみで対応できるため、商品に対するラベルの貼り間違いの心配がない。その結果、顧客に安心を与え、食の安全を図ることができる。
【００３０】
（７）
第２領域部は、他方の面に第１接着層より接着力が弱い第２接着層が配されてもよい。
【００３１】
この場合、第２領域部の第２接着層の接着力は第１接着層よりも弱いので、作業員は第１領域部および第２領域部を分割する際に当該第２領域部を剥がし易くなる。したがって、第２領域部が不要になった際には切り取り部によって当該第２領域部をさらに容易に切り取るのみで済むので、作業効率化を図ることが可能となる。
【００３２】
（８）
第２情報は、商品の値引き後の価格情報を含んでもよい。
【００３３】
この場合、消費者は商品の値引き後の価格情報を視認することにより購買意欲を掻き立てられる。
【００３４】
（９）
第３の発明に係るラベルは、第２領域部における一方の面上に、商品情報としての第３情報を有する第３領域部を剥離可能に備え、第３情報は、販売促進メッセージ、商品の値引き後の価格情報、商品の値引き率を示す値引き率情報、および商品の値引き期間を示す値引き期間情報からなる群より選択される１または複数を含んでもよい。
【００３５】
この場合、上記のような第３情報を有する第３領域部が第２領域部における一方の面上に剥離可能に設けられる。このような構成により、第２情報を表示する前段階において第３領域部により別の商品情報を設定することが可能となる。また、第３情報が不要になった場合には、作業員は第３領域部を剥離により容易に取り除くことができる。
【００３６】
（１０）
第１情報は、商品の名称および当該商品の価格である価格情報を含み、第２情報は、販売促進メッセージを含んでもよい。
【００３７】
この場合、所定期間において販売促進キャンペーン等を行う際に、第２情報としての販売促進メッセージにより消費者の購買意欲を掻き立てることができる。また、販売促進キャンペーンが終了すれば、作業員は販売促進メッセージが配された第２領域部を切り取り部によって容易に切り取って取り除くことが可能となる。
【００３８】
（１１）
第２情報は、商品の値引き率を示す値引き率情報を含んでもよい。
【００３９】
この場合、消費者は商品の値引き率情報を視認することにより購買意欲を掻き立てられる。
【００４０】
（１２）
第２情報は、商品の値引き期間を示す値引き期間情報を含んでもよい。
【００４１】
この場合、消費者は商品の値引き期間情報を視認することにより購買意欲を掻き立てられる。
【図面の簡単な説明】
【００４２】
【図１】第１実施形態に係るラベルの構成を示す模式図
【図２】ラベルの使用方法を示すフローチャート
【図３】第２実施形態に係るラベルの構成を示す模式図
【図４】第３実施形態に係るラベルの構成を示す模式図
【図５】第４実施形態に係るラベルの構成を示す模式図
【図６】ラベル印字装置の構成を示す図
【図７】ラベル印字装置の断面および癖付け部の説明図
【図８】ラベル印字装置によって作成されるラベルの状態を示す模式図
【発明を実施するための最良の形態】
【００４３】
本発明に係るラベルは、少なくとも一方の面に、商品に関する情報である商品情報としての第１情報を有し、他方の面に第１接着層が配された第１領域部と、少なくとも上記一方の面に商品情報としての第２情報を有し、上記他方の面に第１接着層よりも接着力が弱い第２接着層が配された第２領域部と、第１領域部と第２領域部とを分割するための切り取り部と、により構成される。
【００４４】
以下、本発明の一実施形態に係るラベルおよびラベル印字装置について詳細に説明する。
【００４５】
（第１の実施の形態）
図１は第１実施形態に係るラベル１００の構成を示す模式図である。
【００４６】
図１（ａ）はラベル１００の一方の面（以下、表面と呼ぶ）の態様を示し、図１（ｂ）はラベル１００の他方の面（以下、裏面と呼ぶ）の態様を示している。
【００４７】
図１（ａ）に示すように、ラベル１００は、例えば食品の商品名称１１、商品の原産地名称１２、消費期限情報１３、加工日情報１４、および商品の通常価格情報１５等により構成される第１領域部１０と、販売促進メッセージ（例えば、「広告の品」や「特価」等）２１により構成される第２領域部２０と、第１領域部１０と第２領域部２０とを分割するための切り取り部３０と、を含む。以下、第１領域部１０における情報等を第１情報と呼び、第２領域部２０における情報等を第２情報と呼ぶ。
【００４８】
ここで、図１（ｂ）に示すように、ラベル１００の裏面において、上記の第１領域部１０に相当する位置に、所定の接着力を有する第１接着層４０が設けられ、第２領域部２０に相当する位置に第１接着層４０の接着力よりも弱い接着力を有する第２接着層５０が設けられている。なお、第２接着層５０として、弱粘糊または再剥離糊等が用いられる。
【００４９】
このようなラベル１００の使用方法は例えば次の通りである。図２はラベル１００の使用方法を示すフローチャートである。
【００５０】
図２に示すように、まず、商品を取り扱う店舗の作業員は、第１領域部１０と第２領域部２０とが分割されていない状態のラベル１００を、商品の包装フィルムに貼り付ける（非分割ステップ；ステップＳ１）。
【００５１】
上述したように、ラベル１００の第２領域部２０には、「広告の品」等の販売促進メッセージ２１が設けられるので、当該ラベル１００は、期間限定の販売促進を図ることができる。したがって、消費者は購買意欲を掻き立てられる。
【００５２】
次に、所定期間（キャンペーン期間、割引期間等）が経過した場合、作業員は、接着力が弱い第２領域部２０を包装フィルムから剥がした後、第１領域部１０と第２領域部２０とを切り取り部３０によって分割する。すなわち、作業員は、第１領域部１０のみを包装フィルムに貼り付けられた状態にしておき、第２領域部２０を破棄等して取り除く（分割ステップ；ステップＳ２）。
【００５３】
すなわち、分割ステップでは、第１情報および第２情報の印字を変更せずに、第２領域部２０を切り取り部３０により切り取ることによって、第１情報および第２情報による商品情報を、第１情報のみによる商品情報へと変更している。
【００５４】
このようにラベル１００を使用することによって、所定期間において消費者の購買意欲を掻き立てることができるとともに、第２領域部２０を切り取ることのみで期間限定の商品の運用を容易に行うことができる。
【００５５】
すなわち、従来であれば、商品の名称や通常価格等が印字されたラベルと販売促進メッセージが印字されたラベルとを別個独立に用意する必要があるとともに、期間限定の商品の運用を行う際には、作業員は販売促進メッセージのラベルを貼り付けたり剥がしたりする必要があったが、本実施形態では上述のようにそのような必要がないので、資源の浪費を抑制しつつ作業員の作業効率化を図ることが可能となる。
【００５６】
また、弱粘糊または再剥離糊からなる第２接着層５０を用いることで、第２領域部２０を包装フィルムから剥がす際に当該包装フィルムを破る危険性を抑制することができる。したがって、第２領域部２０を切り取った後の包装フィルムは、通常のラベルが貼り付けられた状態と外観的に遜色なく、消費者にとって違和感がないことが期待される。
【００５７】
（第２の実施形態）
第２実施形態に係るラベル１０１の構成が第１実施形態に係るラベル１００の構成と異なる点は、販売促進メッセージ２１の代わりに、商品の値引き後の価格情報（以下、値引き後価格情報と呼ぶ）２２を第２領域部２０に設ける点である。
【００５８】
図３は第２実施形態に係るラベル１０１の構成を示す模式図である。図３に示すように、ラベル１０１は第２領域部２０に値引き後価格情報２２を有する。このようなラベル１０１の運用方法は次の通りである。
【００５９】
まず、商品を取り扱う店舗の作業員は、第１領域部１０と第２領域部２０とが分割されていない状態のラベル１０１を、商品の包装フィルムに貼り付ける（非分割ステップ）。
【００６０】
ラベル１０１の第２領域部２０には、値引き後価格情報２２が設けられるので、当該ラベル１０１は、期間限定の販売促進を図ることができる。したがって、消費者は購買意欲を掻き立てられる。
【００６１】
次に、所定期間が経過すれば、作業員は、接着力が弱い方の第２領域部２０を包装フィルムから剥がした後、第１領域部１０と第２領域部２０とを切り取り部３０によって分割する。すなわち、作業員は、第１領域部１０のみを包装フィルムに貼り付けられた状態にしておき、第２領域部２０を破棄等して取り除く（図２のステップ２参照。分割ステップ）。
【００６２】
このようにラベル１０１を使用することによって、所定期間において消費者の購買意欲を掻き立てることができるとともに、第２領域部２０を切り取ることのみで期間限定の商品の運用を容易に行うことができる。
【００６３】
また、ラベル１０１を使用することによって、期間限定で通常価格よりも低額で商品を販売することができ、所定期間が経過すれば作業員が第２領域部２０を切り取ることによって、通常価格での商品の販売を実施することができる。これにより、商品の名称や通常価格等が印字されたラベルと値引き後価格情報が印字されたラベルとを別個独立に用意する必要はないし、期間限定の商品の運用を行う際において作業員が値引き後価格情報のラベルを貼り付けたり剥がしたりする必要はない。したがって、資源の浪費を抑制しつつ作業員の作業効率化を図ることが可能となる。
【００６４】
さらに、本実施形態では、商品の値引き後価格情報２２を有する第２領域部２０を切り取った後は、第１領域部１０の通常価格情報１５が残ることとなる。したがって、これとは逆に、第２領域部２０を切り取った後に値引き後価格情報２２が残るようにした場合における、消費者による価格改ざん目的での切り取りが行われることがない。よって、本実施形態のラベル１０１は、消費者による価格情報の改ざんを防止する上で有用である。
【００６５】
（第３の実施形態）
第３実施形態に係るラベル１０２の構成が第１実施形態に係るラベル１００の構成と異なる点は、販売促進メッセージ２１の代わりに、商品の値引き率を示す値引き率情報２３を第２領域部２０に設ける点である。
【００６６】
図４は第３実施形態に係るラベル１０２の構成を示す模式図である。図４に示すように、ラベル１０２は第２領域部２０に値引き率情報２３を有する。このようなラベル１０２の運用方法は次の通りである。
【００６７】
まず、商品を取り扱う店舗の作業員は、第１領域部１０と第２領域部２０とが分割されていない状態のラベル１０２を、商品の包装フィルムに貼り付ける（図２のステップ１参照。非分割ステップ）。
【００６８】
ラベル１０２の第２領域部２０には、値引き率情報２３が設けられるので、当該ラベル１０２は、期間限定の販売促進を図ることができる。したがって、消費者は購買意欲を掻き立てられる。
【００６９】
次に、所定期間が経過すれば、作業員は、接着力が弱い方の第２領域部２０を包装フィルムから剥がした後、第１領域部１０と第２領域部２０とを切り取り部３０によって分割する。すなわち、作業員は、第１領域部１０のみを包装フィルムに貼り付けられた状態にしておき、第２領域部２０を破棄等して取り除く（図２のステップ２参照。分割ステップ）。
【００７０】
このようにラベル１０２を使用することによって、所定期間において消費者の購買意欲を掻き立てることができるとともに、第２領域部２０を切り取ることのみで期間限定の商品の運用を容易に行うことができる。
【００７１】
また、ラベル１０２を使用することによって、期間限定で通常価格よりも低額で商品を販売することができ、所定期間が経過すれば作業員が第２領域部２０を切り取ることによって、通常価格での商品の販売を実施することができる。これにより、商品の名称や通常価格等が印字されたラベルと値引き率情報が印字されたラベルとを別個独立に用意する必要はないし、期間限定の商品の運用を行う際において作業員が値引き率情報のラベルを貼り付けたり剥がしたりする必要がない。したがって、資源の浪費を抑制しつつ作業員の作業効率化を図ることが可能となる。
【００７２】
（第４の実施形態）
第４実施形態に係るラベル１０３の構成が第１実施形態に係るラベル１００の構成と異なる点は、販売促進メッセージ２１の代わりに、第２実施形態における値引き後価格情報２２、および商品の値引き期間を示す値引き期間情報２４を第２領域部２０に設ける点である。
【００７３】
図５は第４実施形態に係るラベル１０３の構成を示す模式図である。図５に示すように、ラベル１０３は第２領域部２０に値引き後価格情報２２および値引き期間情報２４を有する。このようなラベル１０３の運用方法は次の通りである。
【００７４】
まず、商品を取り扱う店舗の作業員は、第１領域部１０と第２領域部２０とが分割されていない状態のラベル１０３を、商品の包装フィルムに貼り付ける（図２のステップ１参照。非分割ステップ）。
【００７５】
ラベル１０３の第２領域部２０には、値引き後価格情報２２および値引き期間情報２４が設けられるので、当該ラベル１０３は、期間限定の販売促進を図ることができる。したがって、消費者は所定期間における商品の値引き後価格を意識し、購買意欲を掻き立てられる。
【００７６】
次に、所定期間が経過すれば、作業員は、接着力が弱い方の第２領域部２０を包装フィルムから剥がした後、第１領域部１０と第２領域部２０とを切り取り部３０によって分割する。すなわち、作業員は、第１領域部１０のみを包装フィルムに貼り付けられた状態にしておき、第２領域部２０を破棄等して取り除く（図２のステップ２参照。分割ステップ）。
【００７７】
このようにラベル１０３を使用することによって、所定期間において消費者の購買意欲を掻き立てることができるとともに、第２領域部２０を切り取ることのみで期間限定の商品の運用を容易に行うことができる。
【００７８】
また、ラベル１０３を使用することによって、期間限定で通常価格よりも低額で商品を販売することができ、所定期間が経過すれば作業員が第２領域部２０を切り取ることによって、通常価格での商品の販売を実施することができる。これにより、商品の名称や通常価格等が印字されたラベルと値引き期間情報等が印字されたラベルとを別個独立に用意する必要はないし、期間限定の商品の運用を行う際において作業員が値引き期間情報のラベルを貼り付けたり剥がしたりする必要がない。したがって、資源の浪費を抑制しつつ作業員の作業効率化を図ることが可能となる。
【００７９】
さらに、本実施形態では、商品を値引き後価格で販売する期間と通常価格で販売する期間との期間別で商品の販売価格を変更できる点で、クーポンラベルのような値引き後価格のみを示すラベルに比べ有用である。
【００８０】
なお、上記の各実施形態において、商品名称１１、原産地名称１２、消費期限情報１３、加工日情報１４、および通常価格情報１５が第１情報に相当し、販売促進メッセージ２１、値引き後価格情報２２、値引き率情報２３、および値引き期間情報２４が第２情報に相当する。
【００８１】
（ラベル印字装置）
次に、上述したラベル１００、１０１、１０２、１０３を作成するためのラベル印字装置の構成について説明する。なお、以下では、ラベル１００を作成する場合を例に挙げて説明を行う。
【００８２】
図６はラベル印字装置２００の構成を示す図である。図６（ａ）はラベル印字装置２００の構成を示す斜視図であり、図６（ｂ）はラベル印字装置２００の簡単な構成を示すブロック図である。
【００８３】
また、図７はラベル印字装置２００の断面および癖付け部２３０の説明図であり、図７（ａ）はラベル印字装置２００の断面を示し、図７（ｂ）は、癖付け部２３０の斜視図である。さらに、図８はラベル印字装置２００によって作成されるラベル１００の状態を示す模式図である。
【００８４】
図６（ａ）および（ｂ）に示すように、ラベル印字装置２００は、印字部２１０、搬送部２２０および癖付け部２３０を含む。搬送部２２０は、ラベル１００を印字部２１０に向けて搬送する。印字部２１０は、上述した第１情報および第２情報をラベル１００に印字する。
【００８５】
また、図７（ａ）に示すように、ラベル印字装置２００の搬送部２２０によりラベル台紙１５０に貼着されたラベル１００が搬送される。搬送部２２０は、例えば、テンションローラ等からなり、ラベル１００およびラベル台紙１５０にテンションを掛けつつ搬送を行う。また、搬送部２２０は、図８に示すように、ラベル１００の第１領域部１０を搬送方向ＨＨの下流側にし、第２領域部２０を搬送方向ＨＨの上流側にしてラベル１００を搬送する。このような構成により、接着力の強い方の第１領域部１０から印字部２１０に向けて搬送されるので、接着力が比較的弱く第２領域部２０が下地から剥がれそうになっている場合でも、当該第２領域部２０をスムーズに搬送することが可能となる。それにより、上述した格別の効果を奏するラベル１００を良好な状態で得ることが可能となる。
【００８６】
続いて、図７（ａ）に示すように、ラベル印字装置２００の癖付け部２３０が設けられる。癖付け部２３０は、図７（ｂ）に示すように、湾曲した搬送面を持つ一対のテンションローラ２３１，２３２からなる。この湾曲した搬送面を持つテンションローラ２３１，２３２の間をラベル１００およびラベル台紙１５０が通過することにより、図８に示すように、ラベル１００の第２領域部２０に搬送方向ＨＨと平行な方向に上方凸状の癖付けＫＵが行われる。
【００８７】
このような構成により、接着力が比較的弱い第２領域部２０が下地から剥がれそうになっている場合でも、癖付けＫＵによって剥がれを抑制し当該第２領域部２０をスムーズに搬送することが可能となる。すなわち、搬送方向と交差する方向にラベル１００の張りを形成することで、ラベル１００の第２領域部２０の浮き上がり、またはめくれあがりを防止することができる。その結果、上述した格別の効果を奏するラベル１００を良好な状態で得ることが可能となる。
【００８８】
（他の実施形態）
上記第１〜第４実施形態においては、ラベル１００、１０１、１０２、１０３の表面に第１情報および第２情報を設けることとしたが、これらの裏面にもこれらの情報を設けてもよい。
【００８９】
また、第２領域部２０の裏面に第２接着層５０を設けなくてもよい。この場合、作業員は第２領域部２０を包装フィルムから剥がす必要がないので、当該第２領域部２０を容易に切り取ることが可能となる。
【００９０】
また、第２領域部２０の表面上に、販売促進メッセージ２１、値引き後価格情報２２、値引き率情報２３、および値引き期間情報２４からなる群より選択される１または複数を含む第３情報を有する第３領域部を剥離可能に設けて運用してもよい。この場合、第２情報の前段階において第３領域部により別の商品情報を設定することが可能となる。また、第３情報が不要になった場合には、作業員は第３領域部を剥離により容易に取り除くことができる。したがって、商品情報の変更を迅速かつ容易に実施することが可能となる。
【００９１】
さらに、上記各実施形態では、第２領域部２０における第２情報を単一とした例について説明したが、これに限定されるものではなく、各第２情報を複数組み合わせて用いてもよい。
【００９２】
その他、ラベル１００、１０１、１０２、１０３における第１情報および第２情報の内容等は、本発明の趣旨に沿って適宜変更することが可能であり、この場合にも上記特有かつ格別の効果が奏される。
【００９３】
また、本実施の形態においては、ラベル１００を手張りする場合について説明したが、これに限定されず、計量およびラッピングを行い、ラッピング後の商品に自動的にラベルを貼り付ける装置であってもよい。
【００９４】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
本発明は、食品業界以外の衣料業界等の他の業界における商品等にも有効に適用することが可能である。例えば、靴下等のセット販売の際に、第２領域部２０に「本日のみ３足よりどり１０００円」という販売促進メッセージ２１を設けることができる。
【符号の説明】
【００９５】
１０  第１領域部
１１  商品名称
１２  原産地名称
１３  消費期限情報
１４  加工日情報
１５  通常価格情報
２０  第２領域部
２１  販売促進メッセージ
２２  値引き後価格情報
２３  値引き率情報
２４  値引き期間情報
３０  切り取り部
４０  第１接着層
５０  第２接着層
１００、１０１、１０２、１０３  ラベル
２００  ラベル印字装置
２１０  印字部
２２０  搬送部
２３０  癖付け部
ＨＨ  搬送方向
ＫＵ  癖付け
【図１】
2011056715.tif 000003
【図２】
2011056715.tif 000004
【図３】
2011056715.tif 000005
【図４】
2011056715.tif 000006
【図５】
2011056715.tif 000007
【図６】
2011056715.tif 000008
【図７】
2011056715.tif 000009
【図８】
2011056715.tif 000010
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
少なくとも一方の面に商品情報としての第１情報を有し、他方の面に第１接着層が配された第１領域部と、
少なくとも前記一方の面に前記商品情報としての第２情報を有し、前記他方の面に前記第１接着層より接着力が弱い第２接着層が配された第２領域部と、
前記第１領域部と前記第２領域部とを分割するための切り取り部と、を含み、
前記第１領域部、前記第２領域部および前記切り取り部を有するラベルに対して前記商品情報を印字する印字部と、
前記ラベルを搬送する搬送部と、を含み、
前記搬送部は、前記ラベルの前記第１領域部を搬送方向の下流側にし、前記第２領域部を搬送方向の上流側にして当該ラベルを搬送することを特徴とするラベル印字装置。
【請求項２】
少なくとも一方の面に商品情報としての第１情報を有し、他方の面に第１接着層が配された第１領域部と、
少なくとも前記一方の面に前記商品情報としての第２情報を有し、前記他方の面に前記第１接着層より接着力が弱い第２接着層が配された第２領域部と、
前記第１領域部と前記第２領域部とを分割するための切り取り部と、を含み、
前記第１領域部、前記第２領域部および前記切り取り部を有するラベルに対して前記商品情報を印字する印字部と、
前記ラベルを搬送する搬送部と、
前記印字部の上流側の前記搬送部の途中に設けられ、前記ラベルの前記第２領域部に搬送方向と平行な方向に上方凸状の癖付けを行う癖付け部と、を含むことを特徴とするラベル印字装置。
【請求項３】
少なくとも一方の面に商品情報としての第１情報を有し、他方の面に第１接着層が配された第１領域部と、
少なくとも前記一方の面に前記商品情報としての第２情報を有し、前記他方の面に前記第１接着層より接着力が弱い第２接着層が配された第２領域部と、
前記第１領域部と前記第２領域部とを分割するための切り取り部と、を含み、
前記第１領域部、前記第２領域部および前記切り取り部を有するラベルに対して前記商品情報を印字する印字部と、
前記ラベルを搬送する搬送部と、
前記印字部の上流側の前記搬送部の途中に設けられ、前記ラベルの前記第２領域部に搬送方向と平行な方向に上方凸状の癖付けを行う癖付け部と、を含み、
前記搬送部は、前記ラベルの前記第１領域部を搬送方向の下流側にし、前記第２領域部を搬送方向の上流側にして当該ラベルを搬送することを特徴とするラベル印字装置。
【請求項４】
販売商品に関する情報である商品情報を備えたラベルの使用方法であって、
前記ラベルは、少なくとも一方の面に前記商品情報としての第１情報を有し、他方の面に第１接着層が配された第１領域部と、
前記少なくとも一方の面に商品情報としての第２情報を有する第２領域部と、
一枚の前記ラベル内での前記第１領域部と前記第２領域部とを分割するための切り取り部と、を含み、
前記第１領域部と前記第２領域部とを切り取り部によって分割することなく前記第１領域部および前記第２領域部を貼着した非分割ステップと、
前記第１領域部と前記第２領域部とを切り取り部によって分割し、前記第２領域部を用いずに前記第１領域部のみを貼着した分割ステップと、を含み
前記分割ステップは、前記第２領域部の第２情報の商品情報の価格情報から前記第１領域部の第１情報のみによる商品情報の価格情報へ変更することを特徴とするラベルの使用方法。
【請求項５】
前記第２領域部は、他方の面に前記第１接着層よりも接着力が弱い第２接着層が配されたことを特徴とする請求項４記載のラベルの使用方法。
【請求項６】
少なくとも一方の面に販売商品に関する情報である商品情報を備え、他方の面に接着層を有するラベルであって、
少なくとも前記一方の面に商品情報としての第１情報を有し、前記他方の面に第１接着層が配された第１領域部と、
少なくとも前記一方の面に商品情報としての第２情報を有する第２領域部と、
一枚の前記ラベル内での前記第１領域部と前記第２領域部とを分割するための切り取り部と、を含み、
前記販売商品に貼着された状態で前記切り取り部により前記第１領域部と前記第２領域部とが分割された後、当該第１領域部のみが前記商品情報として前記販売商品に貼着されて販売され、前記第２領域部の第２情報の商品情報の価格情報から前記第１領域部の第１情報のみによる商品情報の価格情報へ変更されることを特徴とするラベル。
【請求項７】
前記第２領域部は、少なくとも前記一方の面に前記商品情報としての第２情報を有し、前記他方の面に前記第１接着層より接着力が弱い第２接着層が配されたことを特徴とする請求項６記載のラベル。
【請求項８】
前記第２情報は、前記商品の値引き後の価格情報を含むことを特徴とする請求項６または請求項７に記載のラベル。
【請求項９】
前記第２領域部における前記一方の面上に、前記商品情報としての第３情報を有する第３領域部を剥離可能に備え、
前記第３情報は、販売促進メッセージ、前記商品の値引き後の価格情報、前記商品の値引き率を示す値引き率情報、および前記商品の値引き期間を示す値引き期間情報からなる群より選択される１または複数を含むことを特徴とする請求項６から請求項８のいずれか１項に記載のラベル。